【手続補正書】
【提出日】平成25年4月26日(2013.4.26)
【手続補正１】
【補正対象書類名】特許請求の範囲
【補正対象項目名】全文
【補正方法】変更
【補正の内容】
【特許請求の範囲】
【請求項１】
シリンジであって：
側壁、ならびにその近位端および遠位端の各々に開口を有するシリンジ本体と；
該シリンジ本体の該側壁に接触しており、かつ該シリンジ本体の該近位端に近い位置から該シリンジ本体の該遠位端の位置まで平行移動可能な浮動性疎水性中隔であって、それによって該シリンジの該近位端および該疎水性中隔に囲まれた頂部区画と、該シリンジの該遠位端および該疎水性中隔に囲まれた底部区画とを創出する、浮動性疎水性中隔と；
該頂部区画中の液体と；
該底部区画中の重合可能な成分と；
シャフト、遠位端、近位端、および該遠位端に設けられたプランジャーヘッドを有するプランジャーであって；該プランジャーは、該シリンジ本体の該近位開口を最初に通じて該シリンジ本体のプランジャーヘッドに挿入されており；該プランジャーヘッドは、該プランジャーヘッドが該シリンジ本体の該側壁に係合する場合、シールを形成するように構成されかつ適合されており、ここで該プランジャーは、該プランジャーヘッドが該シリンジ本体の該近位端にある位置と該プランジャーヘッドが該疎水性中隔でフラッシュされる位置との間で軸方向に平行移動可能である、プランジャーと；
を備える、シリンジ。
【請求項２】
前記シリンジ本体の前記遠位端にキャップ、ルアーロックまたは易破壊性シールをさらに備える、請求項１に記載のシリンジ。
【請求項３】
アンプルであって：
閉鎖近位端およびその遠位端の易破壊性シールと；
該アンプルの該閉鎖近位端および疎水性中隔に囲まれた頂部区画、ならびに該アンプルの該遠位端の易破壊性シールおよび該疎水性中隔に囲まれた底部区画を創出するように該アンプルの内側に配置された浮動性疎水性中隔と；
該頂部区画中の液体と；
該底部区画中の重合可能な成分と；
を備える、アンプル。
【請求項４】
前記疎水性中隔が疎水性の多孔性フィルターを含む、請求項１もしくは２に記載のシリンジ、または請求項３に記載のアンプル。
【請求項５】
アプリケーターであって：
側壁、ならびにその近位端および遠位端の各々に開口を有するシリンジ本体と；
該シリンジ本体の近位端と遠位端との間に配置された浮動性プランジャーヘッドであって、それによって該シリンジの該近位端および該浮動性プランジャーヘッドに囲まれた頂部区画と、該シリンジの該遠位端および該浮動性プランジャーヘッドに囲まれた底部区画とを創出し；ここで該浮動性プランジャーヘッドは、開口された場合、該頂部区画と底部区画とを接続するチェックバルブを備え；該浮動性プランジャーヘッドは、該シリンジ本体の該側壁でシールを形成するように構成されかつ適合されており；かつ該浮動性プランジャーは、該シリンジ本体の該近位端に近い位置から該シリンジ本体の該遠位端の位置まで軸方向に平行移動可能である、浮動性プランジャーヘッドと；
シャフト、遠位端、近位端、および該遠位端に設けられたプランジャーヘッドを有するプランジャーであって；該プランジャーは、該シリンジ本体の該近位開口を最初に通じて該シリンジ本体のプランジャーヘッドに挿入されており；該プランジャーヘッドは、該プランジャーヘッドが該シリンジ本体の該側壁に係合する場合、シールを形成するように構成されかつ適合されており、ここで該プランジャーは、該プランジャーヘッドが該シリンジ本体の該近位端にある位置と該プランジャーヘッドが該シリンジ本体の該遠位端で該浮動性プランジャーでフラッシュされる位置との間で軸方向に平行移動可能である、プランジャーと；
ブラダーであって、その近位端および遠位端の各々で開口を有するブラダーと；
該シリンジ本体の遠位端から該ブラダーの近位端までの流体経路を創出するアダプターと；
先端部であって、その近位端および遠位端の各々に開口を有する先端部であって、該ブラダーの該遠位端が該先端部の該近位端に接続されている、先端部と；
該頂部区画中の液体と；
該底部区画中または該アダプター中の重合可能な成分と；
該ブラダーの中の固体と；
を備える、アプリケーター。
【請求項６】
前記頂部区画中の前記液体が水である、請求項５に記載のアプリケーター。
【請求項７】
前記ブラダーの内側の前記固体が活性化ＰＥＧを含み、必要に応じて、該ブラダーの内側の該固体はＰＥＧ−ＳＰＡ、ＰＥＧ−ＳＳｅｂ、ＰＥＧ−ＳＧまたはそれらの混合物を含む、請求項５または６に記載のアプリケーター。
【請求項８】
前記チェックバルブが圧力感受性であり、必要に応じて、該チェックバルブはボール式チェックバルブ、ダイヤフラム式チェックバルブ、スイング式チェックバルブ、リフト式チェックバルブ、ダブルチェックバルブ、ダブルボール式チェックバルブ、ピストン式チェックバルブ、ウエハー式チェックバルブ、ダックビル式チェックバルブ、アンブレラチェックバルブ、またはボールアンドコーン式チェックバルブである、請求項５〜７のいずれか１項に記載のアプリケーター。
【請求項９】
前記ブラダーが圧縮性材料から作製されており、該圧縮性材料が手動による圧縮を可能にする、請求項５〜８のいずれか１項に記載のアプリケーター。
【請求項１０】
シリンジ本体から前記アダプターへの流体の流れを制御する、該シリンジ本体の遠位端で取り外し可能なセパレーターまたはバルブをさらに備える、請求項５〜９のいずれか１項に記載のアプリケーター。
【請求項１１】
前記先端部がカニューレ先端部、ベントカニューレ先端部、バイオネット型カニューレ先端部、ブラシアプリケーター先端部、ダックビル先端部、テキスタイルミット、スプレー先端部、発泡スワブ、またはシリコンチューブである、請求項５〜１０のいずれか１項に記載のアプリケーター。
【請求項１２】
前記先端部中に配置されたスクリーンまたはフィルターをさらに備える、請求項５〜１１のいずれか１項に記載のアプリケーター。
【請求項１３】
前記頂部区画中の前記液体が緩衝液である、前記請求項のいずれか一項に記載のシリンジ、アンプル、またはアプリケーター。
【請求項１４】
前記重合可能な材料がポリアルキレンイミンおよびＰＥＩから選択される、前記請求項のいずれか一項に記載のシリンジ、アンプル、またはアプリケーター。
【請求項１５】
さらに溶解補助足場を備え；ここで前記重合可能な成分が該溶解補助足場の上に吸着されており、必要に応じて該溶解補助足場が、プラスチックまたはガラスの小片である、前記請求項のいずれか一項に記載のシリンジ、アンプル、またはアプリケーター。
【請求項１６】
ヒドロゲルを調製および表面に対して適用する方法であって、以下の工程：
（ａ）請求項１〜２、または究極的に請求項１に従属する場合の請求項４、または究極的に請求項１に従属する場合の請求項１３〜１５のいずれか１項に記載のシリンジを得る工程と；
（ｂ）前記疎水性中隔へ向けて前記プランジャーヘッドを前進させ、前記頂部区画中の前記液体が該疎水性中隔を通過して、前記底部区画に入るようにさせ、それによって前記重合可能な成分を溶解する工程と；
（ｃ）前記シリンジ本体の近位端に向かって前記プランジャーを後ろに引く工程と；
（ｄ）溶解された重合可能な成分を有するシリンジと、アダプターと、ブラダーと、先端部とを備える装置を組み立てる工程であって；ここで該ブラダーがその近位端および遠位端の各々で開口を有し；該ブラダーに固体が存在し；該先端部はその近位端および遠位端の各々で開口を有し；該アダプターは、該ブラダーの該近位端に対して該シリンジ本体の該遠位端を接続し；該ブラダーの該遠位端は、該先端部の該近位端に接続される、工程と；
（ｅ）該シリンジ本体の該近位端に向かって該プランジャーヘッドを前進させて、該疎水性中隔を該シリンジ本体の該遠位端へ動かし、かつ該溶解された重合可能な成分を含む該液体を該アダプターを通過させ、そして該ブラダー中の該固体と接触させ、それによってプレヒドロゲル混合物を形成する工程と；
（ｆ）該先端部を介して該表面に対して該液体のプレヒドロゲル混合物を適用する工程であって、ここで該プレヒドロゲル混合物がゲル化して、該表面上でヒドロゲルを形成する工程と；
を包含する方法。
【請求項１７】
ヒドロゲルを調製および表面に対して適用する方法であって、以下の工程：
（ａ）請求項３、または究極的に請求項３に従属する場合の請求項４、または究極的に請求項３に従属する場合の請求項１３〜１５のいずれか１項に記載のアンプルを得る工程と；
（ｂ）前記頂部区画の外側でアンプルを押圧し、該頂部区画中の前記液体が前記疎水性中隔を通過し、かつ前記底部区画に入るようにさせ、それによって前記重合可能な成分を溶解する工程と；
（ｃ）溶解された重合可能な成分を有する該アンプルと、アダプターと、ブラダーと、先端部とを備える装置を組み立てる工程であって；ここで該ブラダーがその近位端および遠位端の各々で開口を有し；該ブラダーに固体が存在し；該先端部はその近位端および遠位端の各々で開口を有し；該アダプターは、該アンプルの該遠位端上で易破壊性シールを破壊し、それによって該ブラダーの該近位端に対して該アンプルの該遠位端を接続し；かつ該ブラダーの該遠位端は、該先端部の該近位端に接続される、工程と；
（ｄ）前記底部区画の外側でアンプルを押圧し、前記溶解した重合可能な成分を含む前記液体を該アダプターを通過させ、そして該ブラダー中の該固体と接触させ、それによってプレヒドロゲル混合物を形成する工程と；
（ｅ）該先端部を介して該表面に対して該液体のプレヒドロゲル混合物を適用する工程であって、ここで該プレヒドロゲル混合物がゲル化して、該表面上でヒドロゲルを形成する工程と；
を包含する方法。
【請求項１８】
ヒドロゲルを調製および表面に対して適用する方法であって、以下の工程：
（ａ）請求項５〜１２、または究極的に請求項５に従属する場合の請求項１３〜１５のいずれか１項に記載のアプリケーターを得る工程と；
（ｂ）前記浮動性プランジャーヘッドへ向けて前記プランジャーヘッドを前進させ、それによって該浮動性プランジャーヘッドが前記シリンジ本体の前記遠位端に向かって動くようにさせ、前記底部区画中の前記流体が前記ブラダー中へ前記アダプターを通過して動くようにさせ、それによって前記重合可能な材料を溶解する工程と；
（ｃ）該浮動性プランジャーヘッドへ向けて該プランジャーヘッドをさらに前進させ、それによって前記チェックバルブを開放させ、前記頂部区画中の前記流体が前記底部区画を通り、かつ該アダプターを通って前記ブラダーへ通過することを可能にし、該ブラダー中で該材料を合わせて、それによってプレヒドロゲル混合物を形成する工程と；
（ｄ）該先端部を介して該表面に対して液体のプレヒドロゲル混合物を適用する工程であって、ここで該プレヒドロゲル混合物がゲル化して、該表面上でヒドロゲルを形成する工程と；
を包含する方法。
【手続補正２】
【補正対象書類名】明細書
【補正対象項目名】０００９
【補正方法】変更
【補正の内容】
【０００９】
本発明の別の局面は、上述のシリンジ、アンプルおよびアプリケーターを利用してヒドロゲルを調製および表面に対して適用する方法に関する。
本発明は、例えば以下の項目を提供する。
（項目１）
シリンジであって：
側壁、ならびにその近位端および遠位端の各々に開口を有するシリンジ本体と；
該シリンジ本体の該側壁に接触しており、かつ該シリンジ本体の該近位端に近い位置から該シリンジ本体の該遠位端の位置まで平行移動可能な浮動性疎水性中隔であって、それによって該シリンジの該近位端および該疎水性中隔に囲まれた頂部区画と、該シリンジの該遠位端および該疎水性中隔に囲まれた底部区画とを創出する、浮動性疎水性中隔と；
該頂部区画中の液体と；
該底部区画中の重合可能な成分と；
シャフト、遠位端、近位端、および該遠位端に設けられたプランジャーヘッドを有するプランジャーであって；該プランジャーは、該シリンジ本体の該近位開口を最初に通じて該シリンジ本体のプランジャーヘッドに挿入されており；該プランジャーヘッドは、該プランジャーヘッドが該シリンジ本体の該側壁に係合する場合、シールを形成するように構成されかつ適合されており、ここで該プランジャーは、該プランジャーヘッドが該シリンジ本体の該近位端にある位置と該プランジャーヘッドが該疎水性中隔でフラッシュされる位置との間で軸方向に平行移動可能である、プランジャーと；
を備える、シリンジ。
（項目２）
前記シリンジ本体の前記遠位端にキャップ、ルアーロックまたは易破壊性シールをさらに備える、項目１に記載のシリンジ。
（項目３）
前記頂部区画中の前記液体が緩衝液である、項目１または２に記載のシリンジ。
（項目４）
前記重合可能な成分がポリアルキレンイミンを含む、項目１または２に記載のシリンジ。
（項目５）
前記重合可能な成分がＰＥＩを含む、項目１〜３のいずれか１項に記載のシリンジ。
（項目６）
前記疎水性中隔が、疎水性の多孔性フィルターを備える、項目１〜５のいずれか１項に記載のシリンジ。
（項目７）
さらに溶解補助足場を備え；ここで前記重合可能な成分が該溶解補助足場上に吸着される、項目１〜６のいずれか１項に記載のシリンジ。
（項目８）
前記溶解補助足場がプラスチックまたはガラスの小片である、項目７に記載のシリンジ。
（項目９）
アンプルであって：
閉鎖近位端およびその遠位端の易破壊性シールと；
該アンプルの該閉鎖近位端および疎水性中隔に囲まれた頂部区画、ならびに該アンプルの該遠位端の易破壊性シールおよび該疎水性中隔に囲まれた底部区画を創出するように該アンプルの内側に配置された浮動性疎水性中隔と；
該頂部区画中の液体と；
該底部区画中の重合可能な成分と；
を備える、アンプル。
（項目１０）
前記頂部区画中の前記液体が緩衝液である、項目９に記載のアンプル。
（項目１１）
前記重合可能な成分がポリアルキレンイミンを含む、項目９または１０に記載のアンプル。
（項目１２）
前記重合可能な成分がＰＥＩを含む、項目９または１０に記載のアンプル。
（項目１３）
前記疎水性中隔が疎水性の多孔性フィルターを含む、項目９〜１２のいずれか１項に記載のアンプル。
（項目１４）
さらに溶解補助足場を備え；ここで前記重合可能な成分が、該溶解補助足場上に吸着される、項目９〜１３のいずれか１項に記載のアンプル。
（項目１５）
前記溶解補助足場がプラスチックまたはガラスの小片である、項目１４に記載のアンプル。
（項目１６）
アプリケーターであって：
側壁、ならびにその近位端および遠位端の各々に開口を有するシリンジ本体と；
該シリンジ本体の近位端と遠位端との間に配置された浮動性プランジャーヘッドであって、それによって該シリンジの該近位端および該浮動性プランジャーヘッドに囲まれた頂部区画と、該シリンジの該遠位端および該浮動性プランジャーヘッドに囲まれた底部区画とを創出し；ここで該浮動性プランジャーヘッドは、開口された場合、該頂部区画と底部区画とを接続するチェックバルブを備え；該浮動性プランジャーヘッドは、該シリンジ本体の該側壁でシールを形成するように構成されかつ適合されており；かつ該浮動性プランジャーは、該シリンジ本体の該近位端に近い位置から該シリンジ本体の該遠位端の位置まで軸方向に平行移動可能である、浮動性プランジャーヘッドと；
シャフト、遠位端、近位端、および該遠位端に設けられたプランジャーヘッドを有するプランジャーであって；該プランジャーは、該シリンジ本体の該近位開口を最初に通じて該シリンジ本体のプランジャーヘッドに挿入されており；該プランジャーヘッドは、該プランジャーヘッドが該シリンジ本体の該側壁に係合する場合、シールを形成するように構成されかつ適合されており、ここで該プランジャーは、該プランジャーヘッドが該シリンジ本体の該近位端にある位置と該プランジャーヘッドが該シリンジ本体の該遠位端で該浮動性プランジャーでフラッシュされる位置との間で軸方向に平行移動可能である、プランジャーと；
ブラダーであって、その近位端および遠位端の各々で開口を有するブラダーと；
該シリンジ本体の遠位端から該ブラダーの近位端までの流体経路を創出するアダプターと；
先端部であって、その近位端および遠位端の各々に開口を有する先端部であって、該ブラダーの該遠位端が該先端部の該近位端に接続されている、先端部と；
該頂部区画中の液体と；
該底部区画中または該アダプター中の重合可能な成分と；
該ブラダーの中の固体と；
を備える、アプリケーター。
（項目１７）
前記頂部区画中の前記液体が水である、項目１６に記載のアプリケーター。
（項目１８）
前記頂部区画中の前記液体が緩衝液である、項目１６に記載のアプリケーター。
（項目１９）
前記重合可能な材料がポリアルキレンイミンを含む、項目１６〜１８のいずれか１項に記載のアプリケーター。
（項目２０）
前記重合可能な材料がＰＥＩを含む、項目１６〜１８のいずれか１項に記載のアプリケーター。
（項目２１）
前記ブラダーの内側の前記固体が活性化ＰＥＧを含む、項目１６〜２０のいずれか１項に記載のアプリケーター。
（項目２２）
前記ブラダーの内側の前記固体がＰＥＧ−ＳＰＡ、ＰＥＧ−ＳＳｅｂ、ＰＥＧ−ＳＧまたはそれらの混合物を含む、項目１６〜２０のいずれか１項に記載のアプリケーター。
（項目２３）
さらに溶解補助足場を備え；ここで前記重合可能な成分が該溶解補助足場の上に吸着されている、項目１６〜２２のいずれか１項に記載のアプリケーター。
（項目２４）
前記溶解補助足場が、プラスチックまたはガラスの小片である、項目２３に記載のアプリケーター。
（項目２５）
前記チェックバルブが圧力感受性である、項目１６〜２４のいずれか１項に記載のアプリケーター。
（項目２６）
前記チェックバルブがボール式チェックバルブ、ダイヤフラム式チェックバルブ、スイング式チェックバルブ、リフト式チェックバルブ、ダブルチェックバルブ、ダブルボール式チェックバルブ、ピストン式チェックバルブ、ウエハー式チェックバルブ、ダックビル式チェックバルブ、アンブレラチェックバルブ、またはボールアンドコーン式チェックバルブである、項目１６〜２４のいずれか１項に記載のアプリケーター。
（項目２７）
前記ブラダーが圧縮性材料から作製されており、該圧縮性材料が手動による圧縮を可能にする、項目１６〜２６のいずれか１項に記載のアプリケーター。
（項目２８）
シリンジ本体から前記アダプターへの流体の流れを制御する該シリンジ本体の遠位端で取り外し可能なセパレーターまたはバルブをさらに備える、項目１６〜２７のいずれか１項に記載のアプリケーター。
（項目２９）
前記先端部がカニューレ先端部、ベントカニューレ先端部、バイオネット型カニューレ先端部、ブラシアプリケーター先端部、ダックビル先端部、テキスタイルミット、スプレー先端部、発泡スワブ、またはシリコンチューブである、項目１６〜２８のいずれか１項に記載のアプリケーター。
（項目３０）
前記先端部中に配置されたスクリーンまたはフィルターをさらに備える、項目１６〜２９のいずれか１項に記載のアプリケーター。
（項目３１）
ヒドロゲルを調製および表面に対して適用する方法であって、以下の工程：
（ａ）項目１〜８のいずれか１項に記載のシリンジを得る工程と；
（ｂ）前記疎水性中隔へ向けて前記プランジャーヘッドを前進させ、前記頂部区画中の前記液体が該疎水性中隔を通過して、前記底部区画に入るようにさせ、それによって前記重合可能な成分を溶解する工程と；
（ｃ）前記シリンジ本体の近位端に向かって前記プランジャーを後ろに引く工程と；
（ｄ）溶解された重合可能な成分を有するシリンジと、アダプターと、ブラダーと、先端部とを備える装置を組み立てる工程であって；ここで該ブラダーがその近位端および遠位端の各々で開口を有し；該ブラダーに固体が存在し；該先端部はその近位端および遠位端の各々で開口を有し；該アダプターは、該ブラダーの該近位端に対して該シリンジ本体の該遠位端を接続し；該ブラダーの該遠位端は、該先端部の該近位端に接続される、工程と；
（ｅ）該シリンジ本体の該近位端に向かって該プランジャーヘッドを前進させて、該疎水性中隔を該シリンジ本体の該遠位端へ動かし、かつ該溶解された重合可能な成分を含む該液体を該アダプターを通過させ、そして該ブラダー中の該固体と接触させ、それによってプレヒドロゲル混合物を形成する工程と；
（ｆ）該先端部を介して該表面に対して該液体のプレヒドロゲル混合物を適用する工程であって、ここで該プレヒドロゲル混合物がゲル化して、該表面上でヒドロゲルを形成する工程と；
を包含する方法。
（項目３２）
ヒドロゲルを調製および表面に対して適用する方法であって、以下の工程：
（ａ）項目９〜１４のいずれか１項に記載のアンプルを得る工程と；
（ｂ）前記頂部区画の外側でアンプルを押圧し、該頂部区画中の前記液体が前記疎水性中隔を通過し、かつ前記底部区画に入るようにさせ、それによって前記重合可能な成分を溶解する工程と；
（ｃ）溶解された重合可能な成分を有する該アンプルと、アダプターと、ブラダーと、先端部とを備える装置を組み立てる工程であって；ここで該ブラダーがその近位端および遠位端の各々で開口を有し；該ブラダーに固体が存在し；該先端部はその近位端および遠位端の各々で開口を有し；該アダプターは、該アンプルの該遠位端上で易破壊性シールを破壊し、それによって該ブラダーの該近位端に対して該アンプルの該遠位端を接続し；かつ該ブラダーの該遠位端は、該先端部の該近位端に接続される、工程と；
（ｄ）前記底部区画の外側でアンプルを押圧し、前記溶解した重合可能な成分を含む前記液体を該アダプターを通過させ、そして該ブラダー中の該固体と接触させ、それによってプレヒドロゲル混合物を形成する工程と；
（ｅ）該先端部を介して該表面に対して該液体のプレヒドロゲル混合物を適用する工程であって、ここで該プレヒドロゲル混合物がゲル化して、該表面上でヒドロゲルを形成する工程と；
を包含する方法。
（項目３３）
ヒドロゲルを調製および表面に対して適用する方法であって、以下の工程：
（ａ）項目１６〜３０のいずれか１項に記載のアプリケーターを得る工程と；
（ｂ）前記浮動性プランジャーヘッドへ向けて前記プランジャーヘッドを前進させ、それによって該浮動性プランジャーヘッドが前記シリンジ本体の前記遠位端に向かって動くようにさせ、前記底部区画中の前記流体が前記ブラダー中へ前記アダプターを通過して動くようにさせ、それによって前記重合可能な材料を溶解する工程と；
（ｃ）該浮動性プランジャーヘッドへ向けて該プランジャーヘッドをさらに前進させ、それによって前記チェックバルブを開放させ、前記頂部区画中の前記流体が前記底部区画を通り、かつ該アダプターを通って前記ブラダーへ通過することを可能にし、該ブラダー中で該材料を合わせて、それによってプレヒドロゲル混合物を形成する工程と；
（ｄ）該先端部を介して該表面に対して液体のプレヒドロゲル混合物を適用する工程であって、ここで該プレヒドロゲル混合物がゲル化して、該表面上でヒドロゲルを形成する工程と；
を包含する方法。
（項目３４）
前記液体のプレヒドロゲル混合物が、前記ブラダーを手動で圧縮して、該プレヒドロゲル混合物を該ブラダーの外に、前記先端部の中に、および前記表面の上に押し付けることによって適用される、項目３１〜３３のいずれか１項に記載の方法。
（項目３５）
前記液体のプレヒドロゲル混合物が、前記シリンジ本体の前記近位端に向かって前記プランジャーを後ろに引くこと、および引き続いて該プランジャーを前進させて該プレヒドロゲル混合物を前記ブラダーの外に、前記先端部の中に、および前記表面の上に押し付けることによって適用される、項目３１または３３に記載の方法。
（項目３６）
前記液体のプレヒドロゲル混合物を前記先端部を介して前記表面に適用する前に、前記シリンジを取り除く工程をさらに包含する、項目３１または３３に記載の方法。
（項目３７）
前記表面が硬膜である、項目３１〜３６のいずれか１項に記載の方法。
（項目３８）
前記表面が脊柱内の硬膜である、項目３１〜３６のいずれか１項に記載の方法。